(57)【特許請求の範囲】
【請求項１】
電子透かしデータ及びデジタルデータの形式でコピーフリーやコピー制限等のコピー制御管理情報を含んだデジタルオーディオデータあるいはデジタルビデオデータを格納するオーディオ／ビデオデータ格納領域を１つ以上有するデジタルデータ記録媒体を再生して、他の記録媒体にコピーする際のデジタルデータのコピー制御方法であって、
前記デジタルデータ記録媒体を再生し信号処理して得られる出力データから暗号を解読してデジタルコピー制御管理情報を読み出し、
前記出力データから前記デジタルオーディオ信号あるいはデジタルビデオ信号を抽出してそのデジタルオーディオ信号あるいはデジタルビデオ信号から電子透かしコピー制御管理情報を読み出し、
前記記録媒体を再生中のデジタルオーディオコンテンツ単位あるいはデジタルビデオコンテンツ単位に暗号を検出し、
前記デジタルデータ記録媒体の再生に際し、前記出力データが暗号化されておりかつ前記デジタルコピー制御管理情報が存在している場合で、当該デジタルコピー制御管理情報がコピーフリーでない場合は、前記デジタルコピー制御管理情報に基づいて再生制御を行い、
前記デジタルデータ記録媒体の再生に際し、前記出力データが暗号化されていない場合又は暗号化されてはいるがデジタルコピー制御管理情報が存在しない場合は、前記電子透かしコピー制御管理情報が検出されないか、あるいは当該電子透かしコピー制御管理情報がコピーフリーの場合に、前記電子透かしコピー制御管理情報に基づいて再生制御を行い、
前記デジタルデータ記録媒体の再生に際し、前記デジタルコピー制御管理情報がコピーフリーの場合、あるいは前記電子透かしコピー制御管理情報がコピーフリーでない場合に、当該デジタルデータ記録媒体が不正規であると判断し、再生制限を加えることを特徴とするデジタルデータのコピー制御方法。
【請求項２】
電子透かしデータ及びデジタルデータの形式でコピーフリーやコピー制限等のコピー制御管理情報を含んだデジタルオーディオデータあるいはデジタルビデオデータを格納するオーディオ／ビデオデータ格納領域を１つ以上有するデジタルデータ記録媒体の再生装置であって、
前記デジタルデータ記録媒体を再生し信号処理して得られる出力データのシステムストリームから暗号を解読する暗号復号手段と、
前記暗号復号装置のシステムストリームからコピー制御管理情報を読み出すデジタルコピー制御管理情報復号手段と、
前記システムストリームから前記デジタルオーディオ信号あるいはデジタルビデオ信号を抽出してデコードするＡＶ復号手段と、
前記ＡＶ復号装置出力のデジタルオーディオ信号あるいはデジタルビデオ信号から電子透かしコピー制御管理情報データを読み出す電子透かしコピー制御管理情報復号手段と、
前記デジタルオーディオ信号あるいはデジタルビデオ信号をアナログオーディオ信号あるいはアナログビデオ信号に変換するＤＡコンバータと、
前記デジタルオーディオ信号あるいはデジタルビデオ信号を規定の出力フォーマットに変換して出力制御を行うデジタル信号出力制御手段と、
前記アナログオーディオ信号あるいはアナログビデオ信号の出力制御を行うアナログ信号出力制御手段と、
前記デジタルコピー制御管理情報復号手段から得られたコピー制御管理情報を含むデジタルコピー制御管理情報データと、前記電子透かしコピー制御管理情報復号装置から得られたコピー制御管理情報を含む電子透かしコピー制御管理情報データとを読み込んで、前記デジタル信号出力制御手段および前記アナログ信号出力制御手段を制御し、かつ機構制御部および表示部を制御するシステム制御手段と、
を備え、
前記システム制御手段は、前記デジタルデータ記録媒体の再生に際し、デジタルオーディオコンテンツ単位あるいはデジタルビデオコンテンツ単位に暗号を検出し、前記出力データが暗号化されておりかつ前記デジタルコピー制御管理情報が存在している場合で、当該デジタルコピー制御管理情報がコピーフリーでない場合は、前記デジタルコピー制御管理情報に基づいて再生制御を行い、前記出力データが暗号化されていない場合又は暗号化されてはいるがデジタルコピー制御管理情報が存在しない場合は、前記電子透かしコピー制御管理情報が検出されないか、あるいは当該電子透かしコピー制御管理情報がコピーフリーの場合に、前記電子透かしコピー制御管理情報に基づいて再生制御を行い、前記デジタルコピー制御管理情報がコピーフリーの場合あるいは前記電子透かしコピー制御管理情報がコピーフリーでない場合に、当該デジタルデータ記録媒体が不正規であると判断して再生制限を加えるように構成したことを特徴とする再生装置。
【請求項３】
前記システム制御手段は、前記デジタルコピー制御管理情報データあるいは前記電子透かしコピー制御管理情報データのコピー制御管理情報により、再生条件を満たさない場合、前記デジタル信号出力制御部と前記アナログ信号出力制御部とを制御してデジタル信号出力とアナログ信号出力を共にミュートして再生制限を加えるように構成したことを特徴とする請求項２記載の再生装置。
【請求項４】
前記システム制御手段は、前記デジタルコピー制御管理情報データあるいは前記電子透かしコピー制御管理情報データのコピー制御管理情報により、再生条件を満たさない場合、再生動作自体を停止して再生制限を加えるように構成したことを特徴とする請求項２記載の再生装置。
【請求項５】
動作状態を表示する表示手段を更に有し、前記システム制御手段は、前記デジタルコピー制御管理情報データあるいは前記電子透かしコピー制御管理情報データのコピー制御管理情報により再生条件を満たさない場合、エラーメッセージを前記表示手段に表示するを特徴とする請求項２，３又は４記載の再生装置。
【発明の詳細な説明】
【０００１】
【発明の属する技術分野】
本発明は、デジタルビデオデータ、デジタルオーディオデータを含むマルチメディアデータが記録された光ディスク等の記録媒体におけるコンテンツの不法コピーを防ぐデジタルデータのコピー制御方法及び再生装置に関するものである。
【０００２】
【従来の技術】
近年、従来のレーザーディスクやビデオＣＤに代わって、記録容量が飛躍的に向上したＤＶＤ（Digital  Versatile  Disc）−ＶｉｄｅｏやＤＶＤ−Ａｕｄｉｏが普及し始め、多くの映画タイトルや音楽タイトルが発売されている。これらＤＶＤ−Ｖｉｄｅｏ規格ディスクやＤＶＤ−Ａｕｄｉｏ規格ディスクは、高品位なデジタルオーディオデータあるいは、デジタルビデオデータが記録されているが、高品位なデジタルデータであるため不正規なデジタルコピーを恐れてＡＶ機器メーカーはデジタル信号データを機器内部から外部に出力することはしていなかった。映画タイトルや音楽タイトルを制作し、供給するコンテンツプロバイダーは不正にデジタルコピーがなされ、大量に不正コピーディスクが市場に出回ると大きな損害になるからである。
【０００３】
従来のオーディオ機器、例えばＣＤ（コンパクトディスク）プレーヤやＭＤ（ミニディスク）プレーヤにおいては、デジタルＩ／ＦとしてＩＥＣ６０９５８を用いてデジタルオーディオデータを機器外部に出力している。このＩＥＣ６０９５８には、ＣＧＭＳ（ Copy Generation Manegement System )という世代コピー制御管理情報があり、デジタルコピー可能な場合でも１世代は無数にデジタルコピー可能であるが、２世代目のデジタルコピー禁止になるようにＣＧＭＳの世代コピー制御管理情報を制御していた。ところが、録音機側のＣＧＭＳ世代コピー制御管理装置を改竄すると容易に無制限な世代デジタルコピーを可能にできるという欠点を有していた。
【０００４】
図１４にＤＶＤの従来システムにおける再生−記録システム概要を示す。正規の光ディスクプレーヤ２０９は、システムストリームから暗号を解読する暗号復号装置２０３、光ディスク再生に関する光ピックアップおよび機構メカニズムをサーボ制御する再生制御装置２０４、システムストリームをデジタルオーディオ信号あるいはデジタルビデオ信号に変換するＡＶ復号装置２０６、前記デジタルオーディオ信号あるいはデジタルビデオ信号をアナログ信号に変換して出力するアナログ出力回路２０７，デジタルオーディオ信号あるいはデジタルビデオ信号を規定の出力フォーマット（例えば、ＩＥＣ６０９５８，ＩＥＥＥ１３９４など）に変換して出力するデジタル出力回路２０８によって構成されている。一方、正規の光ディスクレコーダ２１６は、アナログのオーディオ入力信号あるいはビデオ入力信号をデジタル信号に変換するアナログ入力回路２１０，規定のデジタルフォーマットで入力された信号をデジタルオーディオ信号あるいはデジタルビデオ信号に変換するデジタル入力回路２１１、前記デジタルオーディオ信号あるいはデジタルビデオ信号をシステムストリームに変換するＡＶ符号装置２１２、光ディスク記録に関する光ピックアップおよび機構メカニズムをサーボ制御する記録制御装置２１３，システムストリームからコピー制御管理情報を検出し、必要に応じて書き換えるコピー制御管理データ検出書換装置２１４、前記システムストリームに暗号を付加する暗号生成装置２１５によって構成されている。市販プレスディスク２０１は、正規の光ディスクプレーヤ２０９によってオーディオあるいはビデオ信号が再生され、正規の光ディスクレコーダ２１６にデジタル接続あるいはアナログ接続されてコピーディスク２０２が作成される。
【０００５】
この従来システムにおける正規な２世代デジタル記録の場合について、図１５を用いて説明する。市販プレスディスク２２０には、デジタルコピー制御管理情報（以下、デジタルＣＣＩ(Copy Control Information)という）のみが図１０に示すような形式で記録されて、前記市販プレスディスク２２０は制限付きの１世代だけコピー可能な条件であるとする。そのコピー制御管理情報を２５０に示す。すなわち、図１０のＣパラメータはこの市販プレスディスク２２０では、「Ｃ４＝１，Ｃ３＝０」（以下「Ｃ４Ｃ３＝１０」と表現する）である。前記市販プレスディスク２２０を正規の光ディスクプレーヤ２２８で再生すると、デジタル出力回路２２７はデジタルオーディオ信号あるいはデジタルビデオ信号を規定のデジタル出力フォーマットに変換して出力する。
【０００６】
前記正規の光ディスクプレーヤ２２８から規定のデジタルフォーマットで出力されたデジタル信号が正規の光ディスクレコーダ２３５に入力されると、入力されたデジタル信号はデジタル入力回路２３０を用いてデジタルオーディオ信号あるいはデジタルビデオ信号に変換される。変換されたデジタルオーディオ信号あるいはデジタルビデオ信号はＡＶ符号装置２３２によってシステムストリームに変換される。前記システムストリームは、コピー制御管理データ検出書換装置２３３によってデジタルＣＣＩを検出し、１世代コピー可能な「Ｃ４Ｃ３＝１０」であることが判明するので、２世代以降のコピー禁止にするためにデジタルＣＣＩのＣパラメータＣ３を０から１に書き換えて「Ｃ４Ｃ３＝１１」とし、暗号生成装置２３４によりシステムストリームに暗号を付加して、記録制御装置２３１により記録動作を行い、１世代コピーディスク２２１を作成する。この場合のコピー制御管理情報を２５１に示す。前記コピーディスク２５１を正規の光ディスクプレーヤ２４２で再生すると、デジタルＣＣＩのＣパラメータ「Ｃ４Ｃ３＝１１」であり、コピー禁止であるが、そのまま再生しシステムストリームデジタル信号を出力する。コピー禁止であっても再生停止せずにプレーヤが通常再生するのは、接続される機器認証ができないためであり、デジタル出力に接続される機器がレコーダと限らず、デジタル入力付きのオーディオ・ビデオ再生機（例えば、デジタルＴＶやデジタルアンプなど）もあり得るからである。このデジタル信号を正規の光ディスクレコーダ２４９に入力すると、コピー制御管理データ検出書換装置２４７でデジタルＣＣＩを検出してコピー禁止であることを判別して記録動作をしない。この動作により、２世代目のコピーディスクは作成されないことになる。
【０００７】
ところが、光ディスクレコーダのコピー制御管理データ検出書換装置が改竄されると次のように不正なコピーが可能になってしまう。この従来システムにおける不正規な２世代デジタル記録の場合について、図１６を用いて説明する。市販プレスディスク２６０は前記市販プレスディスク２２０と同様に制限付きコピー可能な１世代だけコピー可能な条件とし、デジタルＣＣＩは「Ｃ４Ｃ３＝１０」であるとし、そのコピー制御管理情報を２９３に示す。この市販プレスディスク２６０を正規の光ディスクプレーヤ２６９で再生すると、デジタル出力回路２６８はデジタルオーディオ信号あるいはデジタルビデオ信号を規定のデジタル出力フォーマットに変換して出力する。
【０００８】
前記正規の光ディスクプレーヤ２６９から規定のデジタルフォーマットで出力されたデジタル信号が改竄された不正規の光ディスクレコーダ２７８に入力されると、入力されたデジタル信号はデジタル入力回路２７１を用いてデジタルオーディオ信号あるいはデジタルビデオ信号に変換される。そして、ＡＶ符号装置２７３によりシステムストリームに変換される。変換されたシステムストリームは、改竄されたコピー制御管理データ検出書換装置２７４によってデジタルＣＣＩを検出し、本来は１世代コピー可能な「Ｃ４Ｃ３＝１０」であることが判明するので、２世代以降のコピー禁止にするためにデジタルＣＣＩのＣパラメータＣ３を０から１に書き換えて「Ｃ４Ｃ３＝１１」とするべきでるが、逆にデジタルＣＣＩデータを改竄してコピーフリー「Ｃ４Ｃ３＝００」に設定した後、暗号生成装置２７６によりシステムストリームに暗号を付加して、記録制御装置２７２により記録動作を行い、コピー制限をなくしたコピーフリーの１世代コピーディスク２６１を作成する。そのコピー制御管理情報を２９４に示す。前記１世代コピーディスク２６１は、デジタルＣＣＩデータがコピーフリーに改竄されているため、このディスク２６１を正規の光ディスクプレーヤ２８５で再生すると、デジタル出力回路２８４はデジタルオーディオ信号あるいはデジタルビデオ信号を規定のデジタル出力フォーマットに変換して出力する。前記正規の光ディスクプレーヤ２８５から規定のデジタルフォーマットで出力されたデジタル信号が正規の光ディスクレコーダ２９２に入力されると、デジタルＣＣＩデータがコピーフリー「Ｃ４Ｃ３＝００」に設定されているため、無制限な世代のデジタルコピーディスクが作成されることになってしまう。この時のコピー制御管理情報を２９５に示す。すなわち、従来システムにおいては、改竄された不正規の光ディスクレコーダを用いて不正なコピーディスクを１回作成するだけで、その後正規の光ディスクプレーヤや光ディスクレコーダを用いてもその不正なコピーディスクのためにコピーフリーのディスクが作成されてしまうことになる。
【０００９】
従来システムにおける正規な２世代アナログ記録の場合について、図１７を用いて説明する。市販プレスディスク３００はコピー禁止の条件とし、デジタルＣＣＩは「Ｃ４Ｃ３＝１１」であるとし、そのコピー制御管理情報を３３１に示す。この市販プレスディスク３００を正規の光ディスクプレーヤ３０９で再生すると、アナログ出力回路３０７はアナログオーディオ信号あるいはアナログビデオ信号を出力し、デジタル出力回路３０８からデジタルオーディオ信号あるいはデジタルビデオ信号を規定のデジタル出力フォーマットに変換して出力する。
【００１０】
前記正規の光ディスクプレーヤ３０９から出力されたアナログ信号が正規の光ディスクレコーダ３１６に入力されると、入力されたアナログ信号はアナログ入力回路３１０を用いてデジタルオーディオ信号あるいはデジタルビデオ信号に変換される。そして、ＡＶ符号装置３１３によりシステムストリームに変換される。変換されたシステムストリームは、デジタルＣＣＩデータがないので、コピー管理情報はない。そのため、コピー制御管理データ検出書換装置３１４によってコピー管理することはできない。また、入力がアナログ信号であるので、暗号生成装置３１５によりシステムストリームに暗号を付加することなく、記録制御装置３１２により記録動作を行い、コピー管理情報のない１世代コピーディスク３０１を作成する。
【００１１】
このコピーディスク３０１を正規の光ディスクプレーヤ３２３で再生すると再生可能であり、コピー管理情報がないため、正規の光ディスクレコーダ３３０を用いてもアナログ記録あるいはデジタル記録が可能である。すなわち、従来システムにおいては、改竄されていない正規な光ディスクレコーダを用いても１度アナログ記録を行ってコピーディスクを１回作成するだけで、その後正規の光ディスクプレーヤや正規の光ディスクレコーダを用いてもデジタル記録あるいはアナログ記録可能なコピーフリーのディスクが無限に作成されてしまうことになる。
【００１２】
図１８を用いて従来における再生−記録システム詳細ブロックを説明し、次にデジタル記録動作とアナログ記録動作について説明する。
【００１３】
光ディスクプレーヤ３５２は、ディスク３４０を回転させるスピンドルモータ３４１、前記ディスク３４０に記録された信号を読み取る光ピックアップ３４２、前記スピンドルモータ３４１と光ピックアップ３４２を駆動し制御する機構制御部３４３、前記光ピックアップ３４２の出力からデータ打ち抜きや誤り訂正を行ってシステムストリームデジタル信号を抽出し、前記機構制御部３４３に制御信号を与える信号処理部３４４、前記システムストリームから暗号を解読する暗号復号装置３４５，前記暗号復号装置３４５によって暗号が復号された前記システムストリームからデジタルオーディオ信号あるいはデジタルビデオ信号を抽出してデコードするＡＶ復号装置３４７，前記デジタルオーディオ信号あるいはデジタルビデオ信号をアナログオーディオ信号あるいはアナログビデオ信号に変換するＤＡコンバータ３４８，前記デジタルオーディオ信号あるいはデジタルビデオ信号を規定の出力フォーマット（例えば、ＩＥＣ６０９５８，ＩＥＥＥ１３９４など）に変換して出力制御を行うデジタル信号出力制御部３４９，前記アナログオーディオ信号あるいはアナログビデオ信号の出力制御を行うアナログ信号出力制御部３５０，前記デジタルＣＣＩデータを読み込んで前記デジタル信号出力制御部３４９と前記アナログ信号出力制御部３５０を制御し、かつ機構制御部３４３も制御するシステム制御部３５１により構成されている。
【００１４】
一方、光ディスクレコーダ３６５は、書き込み可能ディスク３５３を回転させるスピンドルモータ３５４、記録信号処理部３５７によりエンコードされた信号を前記書き込み可能ディスク３５３に記録する光ピックアップ３５５、前記スピンドルモータ３５４と光ピックアップ３５５を駆動し制御する機構制御部３５６、暗号が付加されたシステムストリームに誤り訂正符号を付加し、変調を加えて前記光ピックアップ３５５に記録信号を出力し、前記機構制御部３５６に記録時の制御信号を与える記録信号処理部３５７、外部から入力された規定デジタル信号をデジタルオーディオ信号あるいはデジタルビデオ信号に変換するデジタル入力変換部３６０、アナログのオーディオ入力信号あるいはビデオ入力信号をデジタル信号に変換するＡＤコンバータ３５９，前記デジタルオーディオ信号あるいはデジタルビデオ信号をシステムストリームにエンコードするＡＶ符号装置３６１、前記システムストリーム信号からデジタルＣＣＩを検出するデジタルＣＣＩ復号装置３５８、前記システムストリーム信号上のデジタルＣＣＩデータをシステム制御部３６４の命令によって書き換えるデジタルＣＣＩ符号装置３６２，前記システムストリームに暗号を付加して暗号化したシステムストリームを記録信号処理部３５７に転送する暗号生成装置３６３，前記デジタルＣＣＩデータを読み込んで前記デジタルＣＣＩ符号装置３６２に命令を与えてデジタルＣＣＩデータを書き換え、かつ機構制御部も制御するシステム制御部３６４により構成されている。
【００１５】
デジタル記録動作は以下の通りである。ディスク３４０に記録された信号を光ピックアップ３４２で読み取り、信号処理部３４４は前記機構制御部３４３に制御信号を与えながら、データ打ち抜きと誤り訂正を行ってシステムストリームデジタル信号を抽出する。暗号復号装置３４５は前記システムストリームから暗号を解読したシステムストリームをＡＶ復号装置３４７に転送する。ＡＶ復号装置３４７は前記システムストリームからデジタルオーディオ信号あるいはデジタルビデオ信号を抽出してデコードし、デジタル信号出力制御部３４９に転送する。デジタル信号出力制御部３４９は、前記デジタルオーディオ信号あるいはデジタルビデオ信号を規定の出力フォーマット（例えば、ＩＥＣ６０９５８，ＩＥＥＥ１３９４など）に変換して出力する。
【００１６】
外部から入力された規定デジタル信号はデジタル入力変換部３６０によりデジタルオーディオ信号あるいはデジタルビデオ信号に変換されて、ＡＶ符号装置３６１に転送される。ＡＶ符号装置３６１は、前記デジタルオーディオ信号あるいはデジタルビデオ信号をシステムストリームにエンコードする。デジタルＣＣＩ復号装置３５８は前記システムストリーム信号からデジタルＣＣＩデータを検出して、このデジタルＣＣＩデータをシステム制御部３６４に転送する。システム制御部３６４は、前記デジタルＣＣＩデータを読み込んで必要に応じてデジタルＣＣＩ符号装置３６２に命令を与えてシステムストリーム上のデジタルＣＣＩデータを書き換え、かつ機構制御部３５６も制御する。前記システムストリームは、暗号生成装置３６３により暗号化されて、さらに記録信号処理部３５７により誤り訂正符号を付加し、変調を加えて前記光ピックアップ３５５に記録信号を出力し、書き込み可能ディスク３５３にシステムストリームを記録する。
【００１７】
アナログ記録動作は以下の通りである。ディスク３４０に記録された信号を光ピックアップ３４２で読み取り、信号処理部３４４は前記機構制御部３４３に制御信号を与えながら、データ打ち抜きと誤り訂正を行ってシステムストリームデジタル信号を抽出する。暗号復号装置３４５は前記システムストリームから暗号を解読したシステムストリームをＡＶ復号装置３４７に転送する。ＡＶ復号装置３４７は前記システムストリームからデジタルオーディオ信号あるいはデジタルビデオ信号を抽出してデコードし、ＤＡコンバータ３４８に転送する。ＤＡコンバータ３４８は、前記デジタルオーディオ信号あるいはデジタルビデオ信号をアナログ信号出力に変換して出力する。
【００１８】
前記アナログ信号が光ディスクレコーダ３６５に入力されるとＡＤコンバータ３５９によりデジタルオーディオ信号あるいはデジタルビデオ信号に変換されて、ＡＶ符号装置３６１に転送される。ＡＶ符号装置３６１は、前記デジタルオーディオ信号あるいはデジタルビデオ信号をシステムストリームにエンコードする。アナログ入力信号にはデジタルＣＣＩデータがないので、デジタルＣＣＩ復号装置３５８は前記システムストリーム信号からデジタルＣＣＩデータを検出できないことをシステム制御部３６４に転送する。システム制御部３６４は、前記デジタルＣＣＩデータがないので、デジタルＣＣＩ符号装置３６２に命令を与えずシステムストリーム上のデジタルＣＣＩデータ書き換えを行わず、機構制御部３５６も制御する。前記システムストリームは、暗号生成装置３６３により暗号化されて、さらに記録信号処理部３５７により誤り訂正符号を付加し、変調を加えて前記光ピックアップ３５５に記録信号を出力し、書き込み可能ディスク３５３にシステムストリームを記録する。このように書き込まれたディスクには、デジタルＣＣＩデータは存在していない。
【００１９】
次に、従来システムにおけるディスクファイル構造上のＣＣＩデータについて、図１９を用いて説明する。ディスク３６９は、主に４つのＺｏｎｅすなわち、ＶｏｌｕｍｅＺｏｎｅ、ＡｕｄｉｏＺｏｎｅ、ＶｉｄｅｏＺｏｎｅ、ＯｔｈｅｒＺｏｎｅから構成されており、この中でオーディオコンテンツおよびビデオコンテンツのコピー制御管理情報が記載されているのは、ＡｕｄｉｏＺｏｎｅ３７０とＶｉｄｅｏＺｏｎｅ３７１である。
【００２０】
ＡｕｄｉｏＺｏｎｅ３７０には、複数のオーディオタイトルセットＡＴＳが存在し、各オーディオタイトルセットＡＴＳにはオーディオタイトルセット管理情報格納領域ＡＴＳＩとオーディオデータオブジェクト集ＡＯＢＳが存在する。オーディオデータオブジェクト集ＡＯＢＳには、再生単位として複数のオーディオコンテンツが含まれ、各オーディオコンテンツ再生単位に対応するようにデジタルＣＣＩデータが含まれている。この図１９では、ＡＴＳ＃１  ３７２には、ＡＴＳＩ＃１  ３７３とＡＯＢＳ３７４があり、ＡＯＢＳ３７４には、オーディオコンテンツの再生単位としてＴｒａｃｋ数がｐ個存在している。同様にＶｉｄｅｏＺｏｎｅ３７１にも再生単位であるＣｈａｐｔｅｒ毎にオーディオ／ビデオコンテンツに対するデジタルＣＣＩデータが含まれている。
【００２１】
次に、従来システムにおけるオブジェクトデータ構造上のＣＣＩデータについて、図２０を用いて説明する。この図はオーディオデータの例である。オーディオタイトルセット集ＡＯＴＴ＿ＡＯＢＳ３８０は、複数のオーディオタイトルセットＡＯＴＴ＿ＡＯＢ３８１から構成されている。前記オーディオタイトルセットＡＯＴＴ＿ＡＯＢ３８１は、複数のオーディオパックＡ＿ＰＣＫ３８２から構成されており、さらに前記オーディオパックＡ＿ＰＣＫ３８２には、ＰｒｉｖａｔｅＨｅａｄｅｒ３８３とオーディオデータ３８５が含まれる。そして、前記ＰｒｉｖａｔｅＨｅａｄｅｒ３８３にデジタルＣＣＩ３８４が含まれている。複数のオーディオパックＡ＿ＰＣＫ３８２によりＡｕｄｉｏ＿Ｃｅｌｌ３８６が構成され、そのＡｕｄｉｏ＿Ｃｅｌｌ３８６が複数集まって再生単位のＴｒａｃｋ３８７が構成されている。この再生単位Ｔｒａｃｋ３８７の中では前記デジタルＣＣＩ３８４のデータは同一で変化しない。逆に言うとＴｒａｃｋ単位にデジタルＣＣＩデータが対応している。
【００２２】
【発明が解決しようとする課題】
このようなデジタルＣＣＩデータはディスクのオブジェクトデータにデジタル信号データ含まれているが、オブジェクトデータ構造を知り得た者が容易にコピー制御管理データ検出書換装置を改竄して、デジタルＣＣＩデータを改竄することができる危険性がある。また、１回アナログコピーをしてしまえば、それ以降の世代コピーが無限に可能になるという問題もあった。映画タイトルや音楽タイトルを制作し、供給するコンテンツプロバイダーが最も恐れるのは、今後さらに高品位になるデジタルＡＶコンテンツデータが品位を落とすことなく、不法に大量デジタルコピーされることである。
【００２３】
本発明は、このような問題点を解決し、不正規なレコーダでデジタルＣＣＩデータを改竄されて不正なデジタルコピーがなされても、あるいは不正規なレコーダで不正なアナログコピーがなされても、無限な不正コピーの作成を防止できるのデジタルデータのコピー制御方法及び光ディスク等の記録媒体の再生装置を提供するものである。
【００２４】
【課題を解決するための手段】
本発明は、前記従来の課題を解決するため、請求項１に記載の発明は、電子透かしデータ及びデジタルデータの形式でコピーフリーやコピー制限等のコピー制御管理情報を含んだデジタルオーディオデータあるいはデジタルビデオデータを格納するオーディオ／ビデオデータ格納領域を１つ以上有するデジタルデータ記録媒体を再生して、他の記録媒体にコピーする際のデジタルデータのコピー制御方法であって、前記デジタルデータ記録媒体を再生し信号処理して得られる出力データから暗号を解読してデジタルコピー制御管理情報を読み出し、前記出力データから前記デジタルオーディオ信号あるいはデジタルビデオ信号を抽出してそのデジタルオーディオ信号あるいはデジタルビデオ信号から電子透かしコピー制御管理情報を読み出し、前記記録媒体を再生中のデジタルオーディオコンテンツ単位あるいはデジタルビデオコンテンツ単位に暗号を検出し、前記デジタルデータ記録媒体の再生に際し、前記出力データが暗号化されておりかつ前記デジタルコピー制御管理情報が存在している場合で、当該デジタルコピー制御管理情報がコピーフリーでない場合は、前記デジタルコピー制御管理情報に基づいて再生制御を行い、前記デジタルデータ記録媒体の再生に際し、前記出力データが暗号化されていない場合又は暗号化されてはいるがデジタルコピー制御管理情報が存在しない場合は、前記電子透かしコピー制御管理情報が検出されないか、あるいは当該電子透かしコピー制御管理情報がコピーフリーの場合に、前記電子透かしコピー制御管理情報に基づいて再生制御を行い、前記デジタルデータ記録媒体の再生に際し、前記デジタルコピー制御管理情報がコピーフリーの場合、あるいは前記電子透かしコピー制御管理情報がコピーフリーでない場合に、当該デジタルデータ記録媒体が不正規であると判断し、再生制限を加えるものである。
【００２５】
これにより、不正規なレコーダでデジタルコピー制御管理情報データを改竄されて不正なデジタルコピーされても、あるいは不正規なレコーダで不正なアナログコピーをされても、再生時に不正規な記録媒体と識別して再生制限を加えることにより無限な不正コピーの作成を防止できることとなる。
【００２６】
また、本発明の請求項２に記載の発明は、電子透かしデータ及びデジタルデータの形式でコピーフリーやコピー制限等のコピー制御管理情報を含んだデジタルオーディオデータあるいはデジタルビデオデータを格納するオーディオ／ビデオデータ格納領域を１つ以上有するデジタルデータ記録媒体の再生装置であって、前記デジタルデータ記録媒体を再生し信号処理して得られる出力データのシステムストリームから暗号を解読する暗号復号手段と、前記暗号復号装置のシステムストリームからコピー制御管理情報を読み出すデジタルコピー制御管理情報復号手段と、前記システムストリームから前記デジタルオーディオ信号あるいはデジタルビデオ信号を抽出してデコードするＡＶ復号手段と、前記ＡＶ復号装置出力のデジタルオーディオ信号あるいはデジタルビデオ信号から電子透かしコピー制御管理情報データを読み出す電子透かしコピー制御管理情報復号手段と、前記デジタルオーディオ信号あるいはデジタルビデオ信号をアナログオーディオ信号あるいはアナログビデオ信号に変換するＤＡコンバータと、前記デジタルオーディオ信号あるいはデジタルビデオ信号を規定の出力フォーマットに変換して出力制御を行うデジタル信号出力制御手段と、前記アナログオーディオ信号あるいはアナログビデオ信号の出力制御を行うアナログ信号出力制御手段と、前記デジタルコピー制御管理情報復号手段から得られたコピー制御管理情報を含むデジタルコピー制御管理情報データと、前記電子透かしコピー制御管理情報復号装置から得られたコピー制御管理情報を含む電子透かしコピー制御管理情報データとを読み込んで、前記デジタル信号出力制御手段および前記アナログ信号出力制御手段を制御し、かつ機構制御部および表示部を制御するシステム制御手段と、を備え、前記システム制御手段は、前記デジタルデータ記録媒体の再生に際し、デジタルオーディオコンテンツ単位あるいはデジタルビデオコンテンツ単位に暗号を検出し、前記出力データが暗号化されておりかつ前記デジタルコピー制御管理情報が存在している場合で、当該デジタルコピー制御管理情報がコピーフリーでない場合は、前記デジタルコピー制御管理情報に基づいて再生制御を行い、前記出力データが暗号化されていない場合又は暗号化されてはいるがデジタルコピー制御管理情報が存在しない場合は、前記電子透かしコピー制御管理情報が検出されないか、あるいは当該電子透かしコピー制御管理情報がコピーフリーの場合に、前記電子透かしコピー制御管理情報に基づいて再生制御を行い、前記デジタルコピー制御管理情報がコピーフリーの場合あるいは前記電子透かしコピー制御管理情報がコピーフリーでない場合に、当該デジタルデータ記録媒体が不正規であると判断して再生制限を加えるように構成したものである。
【００２７】
これにより、デジタルＣＣＩ装置が不法に改竄されたレコーダで不法コピーされたデジタルデータ記録媒体が作成されても、再生中のデジタルオーディオコンテンツ単位あるいはデジタルビデオコンテンツ単位に記録されている前記デジタルＣＣＩデータあるいは前記ウオーターマークＣＣＩデータを検出して判断することによりコンテンツ単位に不法コピーされた記録媒体と合法コピーされた記録媒体とを判断できるので、この不法コピーされた記録媒体を不正規であると判断して再生制限を加えることにより、不法コピーされた記録媒体が無限に増えるのを防止できることとなる。
【００２８】
また、本発明の請求項３に記載の発明は、前記システム制御手段は、前記デジタルコピー制御管理情報データあるいは前記電子透かしコピー制御管理情報データのコピー制御管理情報により、再生条件を満たさない場合、前記デジタル信号出力制御部と前記アナログ信号出力制御部とを制御してデジタル信号出力とアナログ信号出力を共にミュートして再生制限を加えるように構成したものであり、再生信号が出力されないことにより不法コピーされた記録媒体が無限に増えるのを防止できることとなる。
【００２９】
また、本発明の請求項４に記載の発明は、前記システム制御手段は、前記デジタルコピー制御管理情報データあるいは前記電子透かしコピー制御管理情報データのコピー制御管理情報により、再生条件を満たさない場合、再生動作自体を停止して再生制限を加えるように構成したものであり、再生動作自体を停止することにより不法コピーされた記録媒体が無限に増えるのを防止できることとなる。
【００３０】
また、本発明の請求項５に記載の発明は、動作状態を表示する表示手段を更に有し、前記システム制御手段は、前記デジタルコピー制御管理情報データあるいは前記電子透かしコピー制御管理情報データのコピー制御管理情報により再生条件を満たさない場合、エラーメッセージを前記表示手段に表示するものであり、表示器あるいはビデオ信号が接続されたビデオ出力部等の表示手段に不法記録媒体に関する何らかのエラーメッセージを表示することによりユーザーに通常の再生状態にならない理由を知らせることができ、このことにより、再生装置の故障でないことをることをユーザーに知らせ、ユーザーの不安を解消し、不要なユーザークレームが発生することを防止することができることとなる。。
【００３１】
【発明の実施の形態】
以下本発明の実施の形態について、図１から図１３を用いて説明する。
【００３２】
（実施の形態１）
図１は本発明の第１の実施の形態における光ディスクのコピー制御方法による再生−記録システムの概要である。
【００３３】
同図において、１は市販プレスディスク、２はコピーディスクであり、市販プレスディスク１は、デジタルオーディオデータあるいはデジタルビデオデータを格納すると共に、システムストリームに暗号が付加されており、かつ前述したデジタルＣＣＩおよび電子透かし（以下、ウオーターマークという）コピー制御管理情報（以下、ＣＣＩという）が記録されているものである。なお、ウオーターマークの詳細については、図１１に基づき後述する。
【００３４】
図１において、正規の光ディスクプレーヤ１０は、システムストリームから暗号を解読する暗号復号装置３、光ディスク再生に関する光ピックアップおよび機構メカニズムをサーボ制御する再生制御装置４、システムストリームからコピー制御管理情報を検出するコピー制御管理データ検出装置５，システムストリームをデジタルオーディオ信号あるいはデジタルビデオ信号に変換するＡＶ復号装置６、前記ＡＶ復号装置出力のデジタルオーディオ信号あるいはデジタルビデオ信号からウオーターマークＣＣＩデータを読み出すウオーターマーク復号装置７、前記デジタルオーディオ信号あるいはデジタルビデオ信号をアナログ信号に変換して出力するアナログ出力回路８，デジタルオーディオ信号あるいはデジタルビデオ信号を規定の出力フォーマット（例えば、ＩＥＣ６０９５８，ＩＥＥＥ１３９４など）に変換して出力するデジタル出力回路９によって構成されている。
【００３５】
一方、正規の光ディスクレコーダ１８は、アナログのオーディオ入力信号あるいはビデオ入力信号をデジタル信号に変換するアナログ入力回路１１，規定のデジタルフォーマットで入力された信号をデジタルオーディオ信号あるいはデジタルビデオ信号に変換するデジタル入力回路１２、デジタルオーディオ信号あるいはデジタルビデオ信号からウオーターマーク信号を検出し、必要に応じて書き換えるウオーターマーク復号符号装置１５，前記デジタルオーディオ信号あるいはデジタルビデオ信号をシステムストリームに変換するＡＶ符号装置１４、光ディスク記録に関する光ピックアップおよび機構メカニズムをサーボ制御する記録制御装置１３，システムストリームからコピー制御管理情報を検出し、必要に応じて書き換えるコピー制御管理データ検出書換装置１６、前記システムストリームに暗号を付加する暗号生成装置１７によって構成されている。
【００３６】
市販プレスディスク１は、正規の光ディスクプレーヤ１０によってオーディオ信号あるいはビデオ信号が再生され、正規な光ディスクレコーダ１８のデジタル接続あるいはアナログ接続されてコピーディスク２が作成される。デジタル接続では、デジタル信号の中にウオーターマークＣＣＩデータとデジタルＣＣＩデータの両者が含まれ、アナログ接続では、アナログ信号の中にウオーターマークＣＣＩデータのみが含まれる。
【００３７】
この本発明における正規な２世代デジタル記録の場合について、図２を用いて説明する。市販プレスディスク２０には、デジタルＣＣＩとウオーターマークＣＣＩが、図１３に示すような形式で記録されて、前記市販プレスディスク２０は制限付きの１世代だけコピー可能な条件であるとする。そのコピー制御管理情報は５４に示す。すなわち、図１３のに示すデジタルＣＣＩ及びウエーターマークＣＣＩのＣパラメータはこの市販プレスディスク２０では、「Ｃ４Ｃ３＝１０」である。前記市販プレスディスク２０を正規の光ディスクプレーヤ２９で再生すると、暗号復号装置２２を用いてシステムストリームから暗号を解読し、コピー制御管理データ検出装置２４を用いてデジタルＣＣＩを検出することにより１世代コピー可能であることがわかる。その結果、正規の光ディスクプレーヤ２９はデジタル出力回路２４からデジタルオーディオ信号あるいはデジタルビデオ信号を規定のデジタル出力フォーマットに変換して出力する。
【００３８】
前記正規の光ディスクプレーヤ２９から規定のデジタルフォーマットで出力されたデジタル信号が正規の光ディスクレコーダ３７に入力されると、デジタル入力回路３１を用いて入力されたデジタル信号をデジタルオーディオ信号あるいはデジタルビデオ信号に変換する。変換されたデジタルオーディオ信号あるいはデジタルビデオ信号はＡＶ符号装置３２によってシステムストリームに変換される。前記システムストリームからコピー制御管理データ検出書換装置３５によってデジタルＣＣＩを検出し、１世代コピー可能な「Ｃ４Ｃ３＝１０」であることが判明するので、２世代以降のコピー禁止にするためにデジタルＣＣＩのＣパラメータＣ３を０から１に書き換え「Ｃ４Ｃ３＝１１」とする。そのコピー制御管理情報を５５に示す。さらに、暗号生成装置３６によりシステムストリームに暗号を付加して、記録制御装置３３は記録動作を行い、１世代コピーディスク２１を作成する。前記コピーディスク２１を正規の光ディスクプレーヤ４５で再生すると、デジタルＣＣＩのＣパラメータが「Ｃ４Ｃ３＝１１」であり、コピー禁止であるが、そのまま再生しシステムストリームデジタル信号を出力する。このデジタル信号を正規の光ディスクレコーダ５３に入力すると、コピー制御管理データ検出書換装置５１を用いてデジタルＣＣＩを検出し、コピー禁止であることを判別して記録動作をしない。この動作により、２世代目のデジタルコピーディスクは作成されないことになる。
【００３９】
次に、光ディスクレコーダのコピー制御管理データ検出書換装置が改竄された場合の本発明における不正規な２世代デジタル記録の場合について、図３を用いて説明する。市販プレスディスク６０は前記市販プレスディスク２０と同様に制限付きコピー可能な１世代だけコピー可能な条件とし、デジタルＣＣＩは「Ｃ４Ｃ３＝１０」であるとする。そのコピー制御管理情報を９３に示す。この市販プレスディスク６０を正規の光ディスクプレーヤ６９で再生すると、システムストリームからデジタルＣＣＩを検出して１世代コピー可能であることがわかるので、デジタル出力回路６８はデジタルオーディオ信号あるいはデジタルビデオ信号を規定のデジタル出力フォーマットに変換して出力する。
【００４０】
前記正規の光ディスクプレーヤ６９から規定のデジタルフォーマットで出力されたデジタル信号が、ウオーターマーク復号符号装置を持たないコピー制御管理データ検出書換装置の改竄された不正規の光ディスクレコーダ７６に入力されると、デジタル入力回路７１を用いて入力されたデジタル信号をデジタルオーディオ信号あるいはデジタルビデオ信号に変換する。そして、ＡＶ符号装置７２によりシステムストリームに変換する。変換されたシステムストリームは、改竄されたコピー制御管理データ検出書換装置７４によってデジタルＣＣＩを検出し、本来は１世代コピー可能である「Ｃ４Ｃ３＝１０」が判明するので、２世代以降のコピー禁止にするためにデジタルＣＣＩのＣパラメータＣ３を０から１に書き換え「Ｃ４Ｃ３＝１１」とするべきでるが、逆にデジタルＣＣＩデータを改竄してコピーフリー「Ｃ４Ｃ３＝００」に書き換える。一方、ウオーターマークＣＣＩデータはウオーターマーク復号符号装置を持たないので、書き換えられずに「Ｃ４Ｃ３＝１０」のままになる。そして、暗号生成装置７５によりシステムストリームに暗号を付加して、記録制御装置７３は記録動作を行い、デジタルＣＣＩデータのコピー制限だけをなくしたコピーフリーの１世代コピーディスク６１を作成する。この時のコピー制御管理情報を９４に示す。
【００４１】
前記１世代コピーディスク６１を正規の光ディスクプレーヤ８４で再生すると、ディスクから再生された信号を暗号復号装置７７に通すことにより暗号化されていることが判明する。また、コピー制御管理データ検出書換装置７９によりデジタルＣＣＩデータがコピーフリー「Ｃ４Ｃ３＝００」であることも判明する。図１３に示すように本発明では、暗号化されたオーディオあるいはデジタルデータのデジタルＣＣＩは、制限付きコピーあるいはコピー禁止の場合だけが再生を許されており、コピーフリーの場合の再生は許されていない。従って、デジタルＣＣＩデータがコピーフリーであると、不法なコピーディスクと判断される。その結果、デジタル出力回路８３を制御してデジタル信号出力のみをミュートする、あるいは、デジタル出力回路８３とアナログ出力回路８２とを制御してデジタル信号出力とアナログ信号出力を共にミュートする、あるいは、再生制御装置７８に指令を送り、再生動作自体を停止する。このことより、改竄された不正規の光ディスクレコーダでコピーフリーのディスクが作成されても、本発明の光ディスクコピー制御システムにより２世代目以降のデジタルコピーディスクの作成を防止することができる。
【００４２】
次に、本発明における正規な２世代アナログ記録の場合について、図４を用いて説明する。市販プレスディスク１００には、デジタルＣＣＩとウオーターマークＣＣＩが図１３に示すような形式で記録されて、前記市販プレスディスク１００はコピー禁止の条件であるとする。そのコピー制御管理情報は１１８に示す。すなわち、図１３のＣパラメータはこの市販プレスディスク１００では、「Ｃ４Ｃ３＝１１」である。前記市販プレスディスク１００を正規の光ディスクプレーヤ１０９で再生すると、暗号復号装置１０２を用いてシステムストリームから暗号を解読し、コピー制御管理データ検出装置１０４を用いてデジタルＣＣＩを検出することによりコピー禁止であることがわかる。デジタルＣＣＩはコピー禁止であるが、そのまま再生しシステムストリームデジタル信号を出力する。コピー禁止であっても再生停止せずにプレーヤが通常再生するのは、接続される機器認証ができないためであり、デジタル出力に接続される機器がレコーダと限らず、デジタル入力付きのオーディオ・ビデオ再生機（例えば、デジタルＴＶやデジタルアンプなど）もあり得るからである。その結果、正規の光ディスクプレーヤ１０９は、アナログ出力回路１０７はアナログオーディオ信号あるいはアナログビデオ信号を出力し、デジタル出力回路１０８からデジタルオーディオ信号あるいはデジタルビデオ信号を規定のデジタル出力フォーマットに変換して出力する。
【００４３】
前記正規の光ディスクプレーヤ１０９から出力されたアナログ信号が正規の光ディスクレコーダ１１７に入力されると、入力されたアナログ信号はアナログ入力回路１１０を用いてデジタルオーディオ信号あるいはデジタルビデオ信号に変換される。そして、ＡＶ符号装置１１２によりシステムストリームに変換される。変換されたシステムストリームは、ウオーターマーク復号装置１１４によりウオーターマークＣＣＩデータを検出し、コピー管理情報がコピー禁止であるために記録動作をしない。結果として、１世代目のコピーディスク１０１は作成されない。コピー制御管理情報は１１９に示す。
【００４４】
次に、本発明における不正規な２世代アナログ記録の場合について、図５を用いて説明する。市販プレスディスク１２０には、デジタルＣＣＩとウオーターマークＣＣＩが図１３に示すような形式で記録されて、前記市販プレスディスク１２０はコピー禁止の条件であるとする。そのコピー制御管理情報は１５３に示す。すなわち、図１３のＣパラメータはこの市販プレスディスク１２０では、「Ｃ４Ｃ３＝１１」である。前記市販プレスディスク１２０を正規の光ディスクプレーヤ１２９で再生すると、暗号復号装置１２２を用いてシステムストリームから暗号を解読し、コピー制御管理データ検出装置１２４を用いてデジタルＣＣＩを検出することによりコピー禁止であることがわかる。デジタルＣＣＩはコピー禁止であるが、そのまま再生しシステムストリームデジタル信号を出力する。その結果、正規の光ディスクプレーヤ１２９は、アナログ出力回路１２７はアナログオーディオ信号あるいはアナログビデオ信号を出力し、デジタル出力回路１２８からデジタルオーディオ信号あるいはデジタルビデオ信号を規定のデジタル出力フォーマットに変換して出力する。
【００４５】
前記正規の光ディスクプレーヤ１２９から出力されたアナログ信号が不正規の光ディスクレコーダ１３６に入力されると、入力されたアナログ信号はアナログ入力回路１３０を用いてデジタルオーディオ信号あるいはデジタルビデオ信号に変換される。そして、ＡＶ符号装置１３２によりシステムストリームに変換される。変換されたシステムストリームには、入力信号がアナログであるためデジタルＣＣＩデータがなく、ウオーターマークＣＣＩデータのみが記録されている。ところが、ウオーターマーク復号装置がなく、コピー制御管理データ検出書換装置１３４が改竄されているため、ウオーターマークＣＣＩデータでコピー禁止と定義されていてもそれを無視して１世代目のコピーディスク１２１を作成する。コピー制御管理情報は１５４に示す。
【００４６】
前記コピーディスク１２１を正規の光ディスクプレーヤ１４４で再生すると、暗号化復号装置１３７で暗号を解読し、その解読されたシステムストリームからコピー制御管理データ検出装置１３９を用いてデジタルＣＣＩデータを検出する。しかし、前記システムストリームにはデジタルＣＣＩデータが記録されていない。そこで、ウオーターマーク復号装置１４１を用いてウオーターマークＣＣＩデータを検出する。デジタルＣＣＩデータがなく、ウオーターマークＣＣＩデータがコピー禁止「Ｃ４Ｃ３＝１１」であることが判明する。図１２に示すように本発明では、デジタルＣＣＩデータがなく、ウオーターマークＣＣＩデータがコピー禁止であると、不法なコピーディスクと判断される。その結果、デジタル出力回路１４３を制御してデジタル信号出力のみをミュートする、あるいは、デジタル出力回路１４３とアナログ出力回路１４２とを制御してデジタル信号出力とアナログ信号出力を共にミュートする、あるいは、再生制御装置１３８に指令を送り、再生動作自体を停止する。このことより、改竄された不正規の光ディスクレコーダで不正なアナログコピーディスクが作成されても、本発明の光ディスクコピー制御システムにより２世代目以降のアナログおよびデジタルコピーディスクの作成を防止することができる。
【００４７】
次に、図６を用いて本発明における光ディスクのコピー制御方法を使用した再生装置及び記録装置の具体例を説明すると共に、デジタル記録動作とアナログ記録動作について説明する。
【００４８】
光ディスクプレーヤ１７４は、ディスク１６０を回転させるスピンドルモータ１６１、前記ディスク１６０に記録された信号を読み取る光ピックアップ１６２、前記スピンドルモータ１６１と光ピックアップ１６２を駆動し制御する機構制御部１６３、前記光ピックアップ１６２の出力からデータ打ち抜きや誤り訂正を行ってシステムストリームデジタル信号を抽出し、前記機構制御部１６３に制御信号を与える信号処理部１６４、前記システムストリームから暗号を解読する暗号復号装置１６５、前記暗号解読されたシステムストリームからデジタルＣＣＩを検出するデジタルＣＣＩ復号装置１６６、前記暗号復号装置１６５によって暗号が復号された前記システムストリームからデジタルオーディオ信号あるいはデジタルビデオ信号を抽出してデコードするＡＶ復号装置１６７、前記ＡＶ復号装置１６７出力のデジタルオーディオ信号あるいはデジタルビデオ信号からウオーターマークＣＣＩデータを読み出すウオーターマークＣＣＩ復号装置１６９、前記デジタルオーディオ信号あるいはデジタルビデオ信号をアナログオーディオ信号あるいはアナログビデオ信号に変換するＤＡコンバータ１６８、前記デジタルオーディオ信号あるいはデジタルビデオ信号を規定の出力フォーマット（例えば、ＩＥＣ６０９５８，ＩＥＥＥ１３９４など）に変換して出力制御を行うデジタル信号出力制御部１７０、前記アナログオーディオ信号あるいはアナログビデオ信号の出力制御を行うアナログ信号出力制御部１７１、動作状態を表示する表示部１７２、前記ウオーターマークＣＣＩデータと前記デジタルＣＣＩデータを読み込んで前記デジタル信号出力制御部１７０と前記アナログ信号出力制御部１７１を制御し、かつ表示部１７２、機構制御部１６３も制御するシステム制御部１７３により構成されている。
【００４９】
一方、光ディスクレコーダ１９０は、書き込み可能ディスク１７５を回転させるスピンドルモータ１７６、記録信号処理部１７９によりエンコードされた信号を前記書き込み可能ディスク１７５に記録する光ピックアップ１７７、前記スピンドルモータ１７６と光ピックアップ１７７を駆動し制御する機構制御部１７８、暗号が付加されたシステムストリームに誤り訂正符号を付加し、変調を加えて前記光ピックアップ１７７に記録信号を出力し、前記機構制御部１７８に記録時の制御信号を与える記録信号処理部１７９、外部から入力された規定デジタル信号をデジタルオーディオ信号あるいはデジタルビデオ信号に変換するデジタル入力変換部１８１、前記デジタルオーディオ信号あるいはデジタルビデオ信号からウオーターマークＣＣＩデータを読み出すウオーターマークＣＣＩ復号装置１８３、前記デジタルオーディオ信号あるいはデジタルビデオ信号のウオーターマークＣＣＩデータをシステム制御部１８９の命令によって書き換えるウオーターマークＣＣＩ符号装置１８４、アナログのオーディオ入力信号あるいはビデオ入力信号をデジタル信号に変換するＡＤコンバータ１８２、前記デジタルオーディオ信号あるいはデジタルビデオ信号をシステムストリームにエンコードするＡＶ符号装置１８５、前記システムストリーム信号からデジタルＣＣＩを検出するデジタルＣＣＩ復号装置１８０、前記システムストリーム信号上のデジタルＣＣＩデータをシステム制御部１８９の命令によって書き換えるデジタルＣＣＩ符号装置１８６、前記システムストリームに暗号を付加して暗号化したシステムストリームを記録信号処理部１７９に転送する暗号生成装置１８７、動作状態を表示する表示部１８８、前記デジタルＣＣＩデータを読み込んで前記デジタルＣＣＩ符号装置１８６に命令を与えてデジタルＣＣＩデータを書き換え、かつ機構制御部１７８も制御するシステム制御部１８９により構成されている。
【００５０】
次に、上記のように構成された、光ディスク再生装置のデジタル記録動作について説明する。ディスク１６０に記録された信号を光ピックアップ１６２で読み取り、信号処理部１６４は前記機構制御部１６３に制御信号を与えながら、データ打ち抜きと誤り訂正を行ってシステムストリームデジタル信号を抽出する。暗号復号装置１６５は前記システムストリームから暗号を解読したシステムストリームをデジタルＣＣＩ復号装置１６６とＡＶ復号装置１６７に転送する。ＡＶ復号装置１６７は前記システムストリームからデジタルオーディオ信号あるいはデジタルビデオ信号を抽出してデコードし、ウオーターマークＣＣＩ復号装置１６９とデジタル信号出力制御部１７０に転送する。デジタル信号出力制御部１７０は、前記デジタルオーディオ信号あるいはデジタルビデオ信号を規定の出力フォーマット（例えば、ＩＥＣ６０９５８，ＩＥＥＥ１３９４など）に変換して出力する。デジタルＣＣＩ復号装置１６６は、前記システムストリームからデジタルＣＣＩデータをデコードしてシステム制御部１７３に転送する。ウオーターマークＣＣＩ復号装置１６９は、前記デジタルオーディオ信号あるいはデジタルビデオ信号からウオーターマークＣＣＩデータをデコードしてシステム制御部１７３に転送する。システム制御部１７３は、前記デジタルＣＣＩデータとウオーターマークＣＣＩデータを読み込み、そのデータに従って前記デジタル信号出力制御部１７０と機構制御部１６３を制御する。また、動作表示情報を表示部１７２に転送する。
【００５１】
光ディスクレコーダ１９０に外部から入力された規定デジタル信号は、デジタル入力変換部１８１によりデジタルオーディオ信号あるいはデジタルビデオ信号に変換されて、ＡＶ符号装置１８５に転送される。ＡＶ符号装置１８５は、前記デジタルオーディオ信号あるいはデジタルビデオ信号をシステムストリームにエンコードする。デジタルＣＣＩ復号装置１８０は前記システムストリーム信号からデジタルＣＣＩデータを検出して、このデジタルＣＣＩデータをシステム制御部１８９に転送する。システム制御部１８９は、前記デジタルＣＣＩデータを読み込んで必要に応じてデジタルＣＣＩ符号装置１８６に命令を与えてシステムストリーム上のデジタルＣＣＩデータを書き換え、かつ機構制御部１７８も制御する。前記システムストリームは、暗号生成装置１８７により暗号化されて、さらに記録信号処理部１７９により誤り訂正符号を付加し、変調を加えて前記光ピックアップ１７７に記録信号を出力し、書き込み可能ディスク１７５にシステムストリームを記録する。この時、記録されたディスク１７５にはデジタルＣＣＩデータとウオーターマークＣＣＩデータの両者が記録されている。
【００５２】
次に、本発明のアナログ記録動作について説明する。ディスク１６０に記録された信号を光ピックアップ１６２で読み取り、信号処理部１６４は前記機構制御部１６３に制御信号を与えながら、データ打ち抜きと誤り訂正を行ってシステムストリームデジタル信号を抽出する。暗号復号装置１６５は前記システムストリームから暗号を解読したシステムストリームをデジタルＣＣＩ復号装置１６６とＡＶ復号装置１６７に転送する。ＡＶ復号装置１６７は前記システムストリームからデジタルオーディオ信号あるいはデジタルビデオ信号を抽出してデコードし、そのデコードされた信号をＤＡコンバータ１６８とウオーターマークＣＣＩ復号装置１６９とデジタル信号出力制御部１７０に転送する。ＤＡコンバータ１６８は、前記デジタルオーディオ信号あるいはデジタルビデオ信号をアナログ信号出力に変換して出力する。デジタルＣＣＩ復号装置１６６は、前記システムストリームからデジタルＣＣＩデータをデコードしてシステム制御部１７３に転送する。ウオーターマークＣＣＩ復号装置１６９は、前記デジタルオーディオ信号あるいはデジタルビデオ信号からウオーターマークＣＣＩデータをデコードしてシステム制御部１７３に転送する。システム制御部１７３は、前記デジタルＣＣＩデータとウオーターマークＣＣＩデータを読み込み、そのデータに従ってアナログ信号出力制御部１７１と機構制御部１６３を制御する。また、動作表示情報を表示部１７２に転送する。
【００５３】
外部から光ディスクレコーダ１９０に入力されたアナログ信号は、ＡＤコンバータ１８２によりデジタルオーディオ信号あるいはデジタルビデオ信号に変換されて、ウオーターマークＣＣＩ復号装置１８３に転送される。ウオーターマークＣＣＩ復号装置１８３はデジタルオーディオ信号あるいはデジタルビデオ信号からウオーターマークＣＣＩデータを読み出し、このウオーターマークＣＣＩデータをシステム制御部１８９に転送する。システム制御部１８９は、前記ウオーターマークＣＣＩデータを読み込んで必要に応じてウオーターマークＣＣＩ符号装置１８４に命令を与えてシステムストリーム上のウオーターマークＣＣＩデータを書き換える。前記システムストリームはＡＶ符号装置１８５に転送され、ＡＶ符号装置１８５は、前記デジタルオーディオ信号あるいはデジタルビデオ信号をシステムストリームにエンコードする。システム制御部１８９は、機構制御部１７８を制御し、前記システムストリームは、暗号生成装置１８７により暗号化されて、さらに記録信号処理部１７９により誤り訂正符号を付加し、変調を加えて前記光ピックアップ１７７に記録信号を出力し、書き込み可能ディスク１７５にシステムストリームを記録する。この時、記録されたディスク１７５にはウオーターマークＣＣＩデータだけが記録されている。
【００５４】
次に、本発明におけるディスクファイル構造上のＣＣＩデータについて、図７を用いて説明する。ディスク４００は、主に４つのＺｏｎｅすなわち、ＶｏｌｕｍｅＺｏｎｅ、ＡｕｄｉｏＺｏｎｅ、ＶｉｄｅｏＺｏｎｅ、ＯｔｈｅｒＺｏｎｅから構成されており、この中でオーディオコンテンツおよびビデオコンテンツのコピー制御管理情報が記載されているのは、ＡｕｄｉｏＺｏｎｅ４０１とＶｉｄｅｏＺｏｎｅ４０２である。ＡｕｄｉｏＺｏｎｅ４０１には、複数のオーディオタイトルセットＡＴＳが存在し、各オーディオタイトルセットＡＴＳにはオーディオタイトルセット管理情報格納領域ＡＴＳＩとオーディオデータオブジェクト集ＡＯＢＳが存在する。オーディオデータオブジェクト集ＡＯＢＳには、再生単位として複数のオーディオコンテンツが含まれ、各オーディオコンテンツ再生単位に対応するようにデジタルＣＣＩデータ４０６とウオーターマークＣＣＩデータ４０７が含まれている。この図７では、ＡＴＳ＃１  ４０３には、ＡＴＳＩ＃１  ４０４とＡＯＢＳ４０５があり、ＡＯＢＳ４０５には、オーディオコンテンツの再生単位としてＴｒａｃｋ数がｐ個存在している。
【００５５】
同様にＶｉｄｅｏＺｏｎｅ４０２にも再生単位であるＣｈａｐｔｅｒ毎にオーディオ／ビデオコンテンツに対するデジタルＣＣＩデータ４１１とウオーターマークＣＣＩデータ４１２が含まれている。
【００５６】
次に、本発明におけるオブジェクト再生単位とＣＣＩデータの関係について、図８を用いて説明する。オーディオデータオブジェクト集ＡＯＴＴ＿ＡＯＢＳ４２０は、複数のオーディオデータオブジェクトＡＯＴＴ＿ＡＯＢ４２１から構成されている。前記オーディオデータオブジェクトＡＯＴＴ＿ＡＯＢ４２１は、複数のオーディオパックＡ＿ＰＣＫ４２２から構成されており、複数のＡ＿ＰＣＫ４２２によりＡｕｄｉｏ＿Ｃｅｌｌが構成され、このＡｕｄｉｏ＿Ｃｅｌｌにより再生単位としてのＴｒａｃｋが構成されている。この再生単位毎にウオーターマークＣＣＩとデジタルＣＣＩが定義されている。
【００５７】
同様にビデオタイトルセット集ＶＯＴＴ＿ＡＯＢＳ４２４もＣｅｌｌにより再生単位としてのＣｈａｐｔｅｒが構成されている。この再生単位毎にウオーターマークＣＣＩとデジタルＣＣＩが定義されている。
【００５８】
次に、本発明におけるオブジェクトデータ構造上のＣＣＩデータの関係について、図９を用いて説明する。この図はオーディオデータの例である。オーディオデータオブジェクト集ＡＯＴＴ＿ＡＯＢＳ４３０は、複数のオーディオデータオブジェクトＡＯＴＴ＿ＡＯＢ４３１から構成されている。前記オーディオデータオブジェクトＡＯＴＴ＿ＡＯＢ４３１は、複数のオーディオパックＡ＿ＰＣＫ４３２から構成されており、さらに前記オーディオパックＡ＿ＰＣＫ４３２には、ＰｒｉｖａｔｅＨｅａｄｅｒ４３３とオーディオデータ４３５が含まれる。そして、前記ＰｒｉｖａｔｅＨｅａｄｅｒ４３３にはデジタルＣＣＩデータ４３４が含まれ、前記オーディオデータ４３５にはウオーターマークＣＣＩデータが含まれている。複数のオーディオパックＡ＿ＰＣＫ４３２によりＡｕｄｉｏ＿Ｃｅｌｌ４３６が構成され、そのＡｕｄｉｏ＿Ｃｅｌｌ４３６が複数集まって再生単位のＴｒａｃｋ４３７が構成されている。この再生単位Ｔｒａｃｋ４３７の中では前記デジタルＣＣＩデータ４３４の内容とウオーターマークＣＣＩデータの内容は同一で変化しない。逆に言うとＴｒａｃｋ単位にデジタルＣＣＩデータとウオーターマークＣＣＩデータが対応している。
【００５９】
以上のように構成された本発明における光ディスクのコピー制御を行う再生制御フローの一例について、図１２を用いて以下に説明する。
【００６０】
まず、再生ストリームが暗号復号装置に入力されて暗号化の有無を検出し（ステップ１）、暗号化されている場合はデジタルＣＣＩデータの有無を検出する（ステップ２）。デジタルＣＣＩデータがある場合には、前記デジタルＣＣＩデータがコピーフリーであるかを判断する(ステップ３)。図１３に示すように本発明では、暗号化されたオーディオあるいはデジタルデータのデジタルＣＣＩは制限付きコピーあるいはコピー禁止だけが許されており、コピーフリーは許されていない。従って、デジタルＣＣＩデータがコピーフリーである場合は、不法なコピーディスクと判断される。その結果、デジタル出力回路を制御してデジタル信号出力のみをミュートする、あるいは、デジタル出力回路とアナログ出力回路とを制御してデジタル信号出力とアナログ信号出力を共にミュートする（ステップ４）。
【００６１】
一方、ステップ３でデジタルＣＣＩデータがコピーフリーでないと判断された場合は、通常再生を行う(ステップ８)。また、ステップ１で暗号化されていないと判断された場合と、暗号化されていてもステップ２でデジタルＣＣＩデータがないと判断された場合には、ウオーターマーク復号装置によりウオーターマークＣＣＩデータを読み出す（ステップ９）。次に、ウオーターマークＣＣＩデータがある場合には、ウオーターマークＣＣＩデータがコピーフリーであるかを判断する(ステップ１０)。図１３に示すように本発明では、ウオーターマークＣＣＩデータがコピーフリーだけの場合が通常再生可能であり(ステップ１２)、その他の制限付きコピーおよびコピー禁止の場合は、不法なコピーディスクと判断される。その結果、デジタル出力回路を制御してデジタル信号出力のみをミュートする、あるいは、デジタル出力回路とアナログ出力回路とを制御してデジタル信号出力とアナログ信号出力を共にミュートする(ステップ１１)。
【００６２】
そして、再生単位の終端を判断し(ステップ５)、終端でなければステップ１に戻り、終端であれば、全体再生の終端であるかを判断する(ステップ６)。全体再生の終端でない場合は、デジタル出力回路とアナログ出力回路とを通常出力状態に再設定してステップ１に戻る。一方、全体再生の終端である場合は、再生を終了する。
【００６３】
前述したウオータ−マークについて、図１１を用いて詳細に説明する。ウオーターマークは、ある必要な情報をオーディオ信号あるいはビデオ信号にエンコードしてビットストリーム化した後、そのビットストリームを再生した時にユーザーが原信号と比べてオーディオ信号あるいはビデオ信号の変化を認識できない程度にある必要な情報データをオーディオ信号あるいはビデオ信号にエンコードしてビットストリームに埋め込む技術である。本発明においては、ＣＣＩデータをウオーターマーク符号装置によりオーディオ信号あるいはビデオ信号にエンコードしてビットストリーム化した後、ディスクに記録する。ディスク再生時には、ビットストリームからオーディオ信号あるいはビデオ信号を再生しながら、ウオーターマークＣＣＩ復号装置を用いて、ＣＣＩデータをデコードする。この時、ＣＣＩデータが記録されていても、ユーザーは原信号と比べてオーディオ信号あるいはビデオ信号の変化を認識できない。このようにするとオーディオ信号あるいはビデオ信号にＣＣＩデータが記録されているため、デジタル再生信号以外にアナログ再生信号のオーディオ信号あるいはビデオ信号にもＣＣＩデータが存在することになる。従来のデジタルＣＣＩデータは、データのＰｒｉｖａｔｅＨｅａｄｅｒに含まれているためにアナログ再生信号のオーディオ信号あるいはビデオ信号にはＣＣＩデータが存在しない。
【００６４】
（実施の形態２）
以上の説明では、記録媒体として、電子透かしデータ及びデジタルデータの形式でコピー制御管理情報を含んだデジタルオーディオデータあるいはデジタルビデオデータを格納する光ディスクについて説明したが、同様なデジタルデータを記録再生する媒体、例えばテープや半導体メモリ等においても適用することができるものである。
【００６５】
すなわち、電子透かしデータ及びデジタルデータの形式でコピー制御管理情報を含んだデジタルオーディオデータあるいはデジタルビデオデータを格納するオーディオ／ビデオデータ格納領域を１つ以上有するデジタルデータ記録媒体を再生して、他の記録媒体にコピーする際のデジタルデータのコピー制御方法であって、前記デジタルデータ記録媒体を再生して信号処理手段より得られる出力データから暗号を解読してデジタルコピー制御管理情報を読み出し、前記出力データから前記デジタルオーディオ信号あるいはデジタルビデオ信号を抽出してそのデジタルオーディオ信号あるいはデジタルビデオ信号から電子透かしコピー制御管理情報を読み出し、前記記録媒体を再生中のデジタルオーディオコンテンツ単位あるいはデジタルビデオコンテンツ単位に暗号を検出し、暗号化されている場合は前記デジタルコピー制御管理情報に基づいて再生制御を行い、暗号化されていない場合は前記電子透かしコピー制御管理情報に基づいて再生制御を行うもので有ればよい。
【００６６】
本実施の形態によれば、光ディスクのみならず、種々のデジタルデータ記録媒体に適用して、その記録媒体の再生時に、不正にコピーされた記録媒体等を識別して、再生制限を加えることにより無限な不正コピー作成を防止できるものである。
【００６７】
【発明の効果】
以上のように本発明によれば、記録媒体にデジタルコピー制御管理情報データ以外に電子透かしコピー制御管理情報データを記録しておき、その再生に際して出力データから暗号を解読してデジタルコピー制御管理情報を読み出し、また出力データのデジタルオーディオ信号あるいはデジタルビデオ信号から電子透かしコピー制御管理情報を読み出し、前記記録媒体を再生中のデジタルオーディオコンテンツ単位あるいはデジタルビデオコンテンツ単位に暗号を検出し、暗号化されている場合は前記デジタルコピー制御管理情報に基づいて再生制御を行い、暗号化されていない場合は前記電子透かしコピー制御管理情報に基づいて再生制御を行い、デジタルコピー制御管理情報がコピーフリーの場合、あるいは前記電子透かしコピー制御管理情報がコピーフリーでない場合に、当該デジタルデータ記録媒体が不正規であると判断し、再生制限を加えるものであり、不正規なレコーダでデジタルコピー制御管理情報データを改竄されて不正なデジタルコピーされても、あるいは不正規なレコーダで不正なアナログコピーをされても、再生時に不正規な記録媒体と識別して再生制限を加えることにより、無限な不正コピーの作成を防止できるという有利な効果が得られるものである。
【図面の簡単な説明】
【図１】本発明の第１の実施の形態における光ディスクのコピー制御方法の再生−記録の概要説明図
【図２】同正規な２世代デジタル記録の場合の説明図
【図３】同不正規な２世代デジタル記録の場合の説明図
【図４】同正規な２世代アナログ記録の場合の説明図
【図５】同不正規な２世代アナログ記録の場合の説明図
【図６】同光ディスク再生装置のブロック図
【図７】同ディスクファイル構造上のＣＣＩデータを示す図
【図８】同オブジェクト再生単位とＣＣＩデータの関係を示す図
【図９】同オブジェクトデータ構造上のＣＣＩデータを示す図
【図１０】同コピー制御管理情報を示す図
【図１１】同ウオーターマークの概念説明図
【図１２】同プレーヤのＣＣＩ再生制御フローチャート
【図１３】同コピー制御管理情報とプレーヤ再生制御との関係を示す図
【図１４】従来における光ディスクのコピー制御方法の再生−記録の概要説明図
【図１５】同正規な２世代デジタル記録の場合の説明図
【図１６】同不正規な２世代デジタル記録の場合の説明図
【図１７】同２世代アナログ記録の場合の説明図
【図１８】同光ディスク再生装置のブロック図
【図１９】同ディスクファイル構造上のＣＣＩデータを示す図
【図２０】同オブジェクトデータ構造上のＣＣＩデータを示す図
【符号の説明】
１  市販プレスディスク
２  コピーディスク
３  暗号復号装置
４  再生制御装置
５  コピー制御管理データ検出装置
６  ＡＶ復号装置
７  ウオーターマーク復号装置
８  アナログ出力回路
９  デジタル出力回路
１０  正規の光ディスクプレーヤ
１１  アナログ入力回路
１２  デジタル入力回路
１３  記録制御装置
１４  ＡＶ符号装置
１５  ウオーターマーク復号符号装置
１６  コピー制御管理データ検出書換装置
１７  暗号生成装置
１８  正規の光ディスクレコーダ
１６０  ディスク
１６１  スピンドルモータ
１６２  光ピックアップ
１６３  機構制御部
１６４  信号処理部
１６５  暗号復号装置
１６６  デジタルＣＣＩ復号装置
１６７  ＡＶ復号装置
１６８  ＤＡコンバータ
１６９  ウオーターマークＣＣＩ復号装置
１７０  デジタル信号出力制御部
１７１  アナログ信号出力制御部
１７２  表示部
１７３  システム制御部
１７４  本発明の光ディスクプレーヤ
４００  ディスク全体ファイル
４０６、４１１  デジタルＣＣＩデータ
４０７、４１２  ウオーターマークＣＣＩデータ
【図１】
0003728621.tif 000002
【図２】
0003728621.tif 000003
【図３】
0003728621.tif 000004
【図４】
0003728621.tif 000005
【図５】
0003728621.tif 000006
【図６】
0003728621.tif 000007
【図７】
0003728621.tif 000008
【図８】
0003728621.tif 000009
【図９】
0003728621.tif 000010
【図１０】
0003728621.tif 000011
【図１１】
0003728621.tif 000012
【図１２】
0003728621.tif 000013
【図１３】
0003728621.tif 000014
【図１４】
0003728621.tif 000015
【図１５】
0003728621.tif 000016
【図１６】
0003728621.tif 000017
【図１７】
0003728621.tif 000018
【図１８】
0003728621.tif 000019
【図１９】
0003728621.tif 000020
【図２０】
0003728621.tif 000021